【手続補正書】
【提出日】平成17年3月11日(2005.3.11)
【手続補正１】
【補正対象書類名】明細書
【補正対象項目名】発明の名称
【補正方法】変更
【補正の内容】
【発明の名称】情報処理装置および方法、情報処理システム、並びに記録媒体
【手続補正２】
【補正対象書類名】明細書
【補正対象項目名】特許請求の範囲
【補正方法】変更
【補正の内容】
【特許請求の範囲】
【請求項１】
所定のパターンが表す情報を取得する情報処理装置において、
前記所定のパターンが表す情報に基づいた処理を実行する実行手段と、
前記処理の有効条件を記憶する記憶手段と、
前記処理が、前記記憶手段により記憶された前記有効条件を満たさない場合、前記処理の更新情報の提供要求を所定のサーバに送信する送信手段と、
前記所定のサーバより送信された前記更新情報を受信する受信手段と、
前記受信手段により受信された前記更新情報に基づいて、前記有効条件を更新する更新手段と
を備えることを特徴とする情報処理装置。
【請求項２】
所定のパターンが表す情報を取得する情報処理方法において、
前記所定のパターンが表す情報に基づいた処理を実行する実行ステップと、
前記処理の有効条件を記憶する記憶ステップと、
前記処理が、前記記憶ステップで記憶されている前記有効条件を満たさない場合、前記処理の更新情報の提供要求を所定のサーバに送信する送信ステップと、
前記所定のサーバより送信された前記更新情報を受信する受信ステップと、
前記受信ステップで受信された前記更新情報に基づいて、前記有効条件を更新する更新ステップと
を含むことを特徴とする情報処理方法。
【請求項３】
所定のパターンが表す情報を取得する情報処理装置に、
前記所定のパターンが表す情報に基づいた処理を実行する実行ステップと、
前記処理の有効条件を記憶する記憶ステップと、
前記処理が、前記記憶ステップで記憶されている前記有効条件を満たさない場合、前記処理の更新情報の提供要求を所定のサーバに送信する送信ステップと、
前記所定のサーバより送信された前記更新情報を受信する受信ステップと、
前記受信ステップで受信された前記更新情報に基づいて、前記有効条件を更新する更新ステップと
を含む処理を実行させるコンピュータが読み取り可能なプログラムを記録することを特徴とする記録媒体。
【請求項４】
所定の端末より送信された所定の更新情報の提供要求を受信する受信手段と、
前記受信手段により受信された前記提供要求に対応して前記更新情報を取得する取得手段と、
前記取得手段により取得された前記更新情報を、前記端末に送信する送信手段と
を備えることを特徴とする情報処理装置。
【請求項５】
所定の端末より送信された所定の更新情報の提供要求を受信する受信ステップと、
前記受信ステップで受信された前記提供要求に対応して前記更新情報を取得する取得ステップと、
前記取得ステップで取得された前記更新情報を、前記端末に送信する送信ステップと
を備えることを特徴とする情報処理方法。
【請求項６】
所定の端末より送信された所定の更新情報の提供要求を受信する受信ステップと、
前記受信ステップで受信された前記提供要求に対応して前記更新情報を取得する取得ステップと、
前記取得ステップで取得された前記更新情報を、前記端末に送信する送信ステップと
を含む処理を情報処理装置に実行させるコンピュータが読み取り可能なプログラムを記録することを特徴とする記録媒体。
【請求項７】
所定のパターンが表す情報を取得する端末と、前記端末にネットワークを介して接続されるサーバとからなる情報処理システムにおいて、
前記端末は、
前記所定のパターンが表す情報に基づいた処理を実行する実行手段と、
前記処理の有効条件を記憶する記憶手段と、
前記処理が、前記記憶手段により記憶された前記有効条件を満たさない場合、前記処    理の更新情報の提供要求を前記サーバに送信する第１の送信手段と、
前記前記サーバより送信された前記更新情報を受信する第１の受信手段と、
前記第１の受信手段により受信された前記更新情報に基づいて、前記有効条件を更新    する更新手段と
を備え、
前記サーバは、
前記端末より送信された所定の更新情報の提供要求を受信する第２の受信手段と、
前記第２の受信手段により受信された前記提供要求に対応して前記更新情報を取得す    る取得手段と、
前記取得手段により取得された前記更新情報を、前記端末に送信する第２の送信手段    と
を備えることを特徴とする情報処理システム。
【請求項８】
所定のパターンが表す情報を取得する端末と、前記端末にネットワークを介して接続されるサーバとからなる情報処理システムの情報処理方法において、
前記端末の情報処理方法は、
前記所定のパターンが表す情報に基づいた処理を実行する実行ステップと、
前記処理の有効条件を記憶する記憶ステップと、
前記処理が、前記記憶ステップで記憶されている前記有効条件を満たさない場合、前    記処理の更新情報の提供要求を前記サーバに送信する第１の送信ステップと、
前記前記サーバより送信された前記更新情報を受信する第１の受信ステップと、
前記第１の受信ステップにより受信された前記更新情報に基づいて、前記有効条件を    更新する更新ステップと
を含み、
前記サーバの情報処理方法は、
前記端末より送信された所定の更新情報の提供要求を受信する第２の受信ステップと    、
前記第２の受信ステップで受信された前記提供要求に対応して前記更新情報を取得す    る取得ステップと、
前記取得ステップで取得された前記更新情報を、前記端末に送信する第２の送信ステ    ップと
を含むことを特徴とする情報処理方法。
【手続補正３】
【補正対象書類名】明細書
【補正対象項目名】０００１
【補正方法】変更
【補正の内容】
【０００１】
【発明の属する技術分野】
本発明は、情報処理装置および方法、情報処理システム、並びに記録媒体に関し、特に、効率よく、２次元バーコードなどよりなるパターンに対応した処理を実行することができるようにした、情報処理装置および方法、情報処理システム、並びに記録媒体に関する。
【手続補正４】
【補正対象書類名】明細書
【補正対象項目名】００１２
【補正方法】変更
【補正の内容】
【００１２】
【課題を解決するための手段】
本発明の第１の情報処理装置は、所定のパターンが表す情報に基づいた処理を実行する実行手段と、処理の有効条件を記憶する記憶手段と、処理が、記憶手段により記憶された有効条件を満たさない場合、処理の更新情報の提供要求を所定のサーバに送信する送信手段と、所定のサーバより送信された更新情報を受信する受信手段と、受信手段により受信された更新情報に基づいて、有効条件を更新する更新手段とを備えることを特徴とする。
【手続補正５】
【補正対象書類名】明細書
【補正対象項目名】００１３
【補正方法】変更
【補正の内容】
【００１３】
本発明の第１の情報処理方法は、所定のパターンが表す情報に基づいた処理を実行する実行ステップと、処理の有効条件を記憶する記憶ステップと、処理が、記憶ステップで記憶されている有効条件を満たさない場合、処理の更新情報の提供要求を所定のサーバに送信する送信ステップと、所定のサーバより送信された更新情報を受信する受信ステップと、受信ステップで受信された更新情報に基づいて、有効条件を更新する更新ステップとを含むことを特徴とする。
【手続補正６】
【補正対象書類名】明細書
【補正対象項目名】００１４
【補正方法】変更
【補正の内容】
【００１４】
本発明の第１の記録媒体のプログラムは、所定のパターンが表す情報に基づいた処理を実行する実行ステップと、処理の有効条件を記憶する記憶ステップと、処理が、記憶ステップで記憶されている有効条件を満たさない場合、処理の更新情報の提供要求を所定のサーバに送信する送信ステップと、所定のサーバより送信された更新情報を受信する受信ステップと、受信ステップで受信された更新情報に基づいて、有効条件を更新する更新ステップとを含む処理を実行させるコンピュータが読み取り可能なプログラムを記録することを特徴とする。
【手続補正７】
【補正対象書類名】明細書
【補正対象項目名】００１５
【補正方法】変更
【補正の内容】
【００１５】
本発明の第１の情報処理装置および方法、並びに記録媒体のプログラムにおいては、所定のパターンが表す情報に基づいた処理が実行され、処理の有効条件が記憶され、処理が、記憶されている有効条件を満たさない場合、処理の更新情報の提供要求が所定のサーバに送信され、所定のサーバより送信された更新情報が受信され、受信された更新情報に基づいて、有効条件が更新される。
【手続補正８】
【補正対象書類名】明細書
【補正対象項目名】００１６
【補正方法】変更
【補正の内容】
【００１６】
本発明の第２の情報処理装置は、所定の端末より送信された所定の更新情報の提供要求を受信する受信手段と、受信手段により受信された提供要求に対応して更新情報を取得する取得手段と、取得手段により取得された更新情報を、端末に送信する送信手段とを備えることを特徴とする。
【手続補正９】
【補正対象書類名】明細書
【補正対象項目名】００１７
【補正方法】変更
【補正の内容】
【００１７】
本発明の第２の情報処理方法は、所定の端末より送信された所定の更新情報の提供要求を受信する受信ステップと、受信ステップで受信された提供要求に対応して更新情報を取得する取得ステップと、取得ステップで取得された更新情報を、端末に送信する送信ステップとを備えることを特徴とする。
【手続補正１０】
【補正対象書類名】明細書
【補正対象項目名】００１８
【補正方法】変更
【補正の内容】
【００１８】
本発明の第２の記録媒体のプログラムは、所定の端末より送信された所定の更新情報の提供要求を受信する受信ステップと、受信ステップで受信された提供要求に対応して更新情報を取得する取得ステップと、取得ステップで取得された更新情報を、端末に送信する送信ステップとを含む処理を情報処理装置に実行させるコンピュータが読み取り可能なプログラムを記録することを特徴とする。
【手続補正１１】
【補正対象書類名】明細書
【補正対象項目名】００１９
【補正方法】変更
【補正の内容】
【００１９】
本発明の第２の情報処理装置および方法、並びに記録媒体のプログラムにおいては、所定の端末より送信された所定の更新情報の提供要求が受信され、受信された提供要求に対応して更新情報が取得され、取得された更新情報が、端末に送信される。
【手続補正１２】
【補正対象書類名】明細書
【補正対象項目名】００２０
【補正方法】変更
【補正の内容】
【００２０】
本発明の情報処理システムは、端末が、所定のパターンが表す情報に基づいた処理を実行する実行手段と、処理の有効条件を記憶する記憶手段と、処理が、記憶手段により記憶された有効条件を満たさない場合、処理の更新情報の提供要求を所定のサーバに送信する第１の送信手段と、所定のサーバより送信された更新情報を受信する第１の受信手段と、第１の受信手段により受信された更新情報に基づいて、有効条件を更新する更新手段とを備え、サーバが、所定の端末より送信された所定の更新情報の提供要求を受信する第２の受信手段と、第２の受信手段により受信された提供要求に対応して更新情報を取得する取得手段と、取得手段により取得された更新情報を、端末に送信する第２の送信手段とを備えることを特徴とする。
【手続補正１３】
【補正対象書類名】明細書
【補正対象項目名】００２１
【補正方法】変更
【補正の内容】
【００２１】
本発明の第３の情報処理方法は、端末の情報処理方法が、所定のパターンが表す情報に基づいた処理を実行する実行ステップと、処理の有効条件を記憶する記憶ステップと、処理が、記憶ステップで記憶されている有効条件を満たさない場合、処理の更新情報の提供要求を所定のサーバに送信する第１の送信ステップと、所定のサーバより送信された更新情報を受信する第１の受信ステップと、第１の受信ステップにより受信された更新情報に基づいて、有効条件を更新する更新ステップとを含み、サーバの情報処理方法が、所定の端末より送信された所定の更新情報の提供要求を受信する第２の受信ステップと、第２の受信ステップで受信された提供要求に対応して更新情報を取得する取得ステップと、取得ステップで取得された更新情報を、端末に送信する第２の送信ステップとを含むことを特徴とする。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
本発明の情報処理システムおよび第３の情報処理方法においては、端末が、所定のパターンが表す情報に基づいた処理を実行し、処理の有効条件を記憶し、処理が、記憶された有効条件を満たさない場合、処理の更新情報の提供要求をサーバに送信し、所定のサーバより送信された更新情報を受信し、受信された更新情報に基づいて、有効条件が更新し、サーバが、所定の端末より送信された所定の更新情報の提供要求を受信し、受信された提供要求に対応して更新情報を取得し、取得された更新情報を、端末に送信される。
【手続補正１６】
【補正対象書類名】明細書
【補正対象項目名】０１０２
【補正方法】変更
【補正の内容】
【０１０２】
【発明の効果】
第１の本発明によれば、有効条件を満たす処理を実行することができる。
【手続補正１７】
【補正対象書類名】明細書
【補正対象項目名】０１０３
【補正方法】変更
【補正の内容】
【０１０３】
第２の本発明によれば、所定の更新情報を端末に送信することができる。
【手続補正１８】
【補正対象書類名】明細書
【補正対象項目名】０１０４
【補正方法】変更
【補正の内容】
【０１０４】
第３の本発明によれば、端末が有効条件を満たす場合、端末が、サーバから更新情報を受信せずに、処理を実行することができる。